(57)【要約】【課題】取り付け作業が簡単で、作業時間の短縮を図ることができる照明具取付け具を提供することを目的とする。【解決手段】Ｃ型鋼材などの対向する突端部を有する支柱に照明具を取り付ける照明具取付け具15であって、照明具に取り付けられる第１板状部材15cと、螺子17eを挿入する第１穴15g、及び支柱の一方の突端部に係合する第１溝15hを備え、第１板状部材15cに固定された第２板状部材15dと、螺子17eを挿入する第２穴15i、及び支柱の他方の突端部に係合する第２溝15jを備え、第２板状部材15dの板面に重ねて配置された第３板状部材15bとを有し、第１穴15g及び第２穴15iに螺子17eを挿入した状態で、第３板状部材15bを第２板状部材15dの板面上でスライドさせて第２及び第３板状部材15d, 15bをあわせた全体の長さを調節できるようにしたことを特徴とする。【選択図】図４
0003156816.tif 000002
【実用新案登録請求の範囲】
【請求項１】
Ｃ型鋼材などの対向する突端部を有する支柱に照明具を取り付ける照明具取付け具であって、
前記照明具に取り付けられる第１板状部材と、
螺子を挿入する第１穴、及び前記支柱の一方の突端部に係合する第１溝を備え、前記第１板状部材に固定された第２板状部材と、
前記螺子を挿入する第２穴、及び前記支柱の他方の突端部に係合する第２溝を備え、前記第２板状部材の板面に重ねて配置された第３板状部材とを有し、
前記第１穴及び前記第２穴に前記螺子を挿入した状態で、前記第３板状部材を前記第２板状部材の板面上でスライドさせて前記第２及び第３板状部材をあわせた全体の長さを調節できるようにしたことを特徴とする照明具取付け具。
【請求項２】
前記第2板状部材の第１穴には、螺子止めが固定されているか、または穴部には螺子に合った螺子切りが行われていることを特徴とする請求項１記載の照明具取付け具。
【請求項３】
前記第２穴は、前記第１穴に対して前記第２及び第３板状部材をあわせた全体の長さ方向に長いことを特徴とする請求項１または２記載の照明具取付け具。
【請求項４】
前記第３板状部材は、両側部の端部が折り曲げられて前記第２板状部材の外側に配置され、前記折り曲げられた両側部の端部が前記第２板状部材全体を挟み込んだ状態でスライドするようにしたことを特徴とする請求項１乃至３のいずれか１項に記載の照明具取付け具。
【請求項５】
発光源と、該発光源を収納する容器とを有する照明具と、
前記照明具の容器に固定される、請求項１乃至４のいずれか１項に記載の照明具取付け具とを有することを特徴とする照明器具。
【請求項６】
前記照明器具は、さらに、前記照明具の容器に固定され、前記照明具取付け具の第１板状部材を取り付ける照明具取付け具固定板を有することを特徴とする請求項５に記載の照明器具。
【考案の詳細な説明】
【技術分野】
【０００１】
本考案は、照明具取付け具及び照明器具に関し、より詳しくは、自転車置き場の建物のＣ型鋼材からなる母屋などに蛍光灯その他の照明具を取り付ける照明具取付け具及び照明具取付け具を備えた照明器具に関する。
【背景技術】
【０００２】
自転車置き場には雨や日差しを避けるためサイクルハウスが設置され、さらに夜間利用する人のために、図１に示すように、サイクルハウスの母屋１に蛍光灯２が取り付けられている。母屋１は、サイクルハウスの天井の下面に横方向にわたって取り付けられており、Ｃ型鋼材が用いられている。
【０００３】
また、自転車を収納場所に収納するときに、或いは収納場所から取り出すときに、蛍光灯２の蛍光管２aに頭などをぶつけて、蛍光管２aが破損し、人が怪我をする恐れがあるため、蛍光管２aの周囲は防護かご３で覆われている。
【０００４】
蛍光灯２は母屋１に直に螺子止めされ、防護かご３は支持部材４を介して母屋１に螺子止めされる。
【考案の開示】
【考案が解決しようとする課題】
【０００５】
ところで、蛍光灯２及び防護かご３を母屋１に螺子止めするため、狭い空間で母屋１に螺子穴を開ける作業が必要である。このため、取り付け作業がしにくく、取り付け作業に多くの時間を要するという問題がある。
【０００６】
本考案は、上記の従来例の問題点に鑑みて創作されたものであり、取り付け作業が簡単で、作業時間の短縮を図ることができる照明具取付け具及び照明具取付け具を備えた照明器具を提供するものである。
【課題を解決するための手段】
【０００７】
一観点によれば、Ｃ型鋼材などの対向する突端部を有する支柱に照明具を取り付ける照明具取付け具であって、前記照明具に取り付けられる第１板状部材と、螺子を挿入する第１穴、及び前記支柱の一方の突端部に係合する第１溝を備え、前記第１板状部材に固定された第２板状部材と、前記螺子を挿入する第２穴、及び前記支柱の他方の突端部に係合する第２溝を備え、前記第２板状部材の板面に重ねて配置された第３板状部材とを有し、前記第１穴及び前記第２穴に前記螺子を挿入した状態で、前記第３板状部材を前記第２板状部材の板面上でスライドさせて前記第２及び第３板状部材をあわせた全体の長さを調節できるようにしたことを特徴とする照明具取付け具が提供される。この場合、螺子を挿入する第1穴には、螺子止めが固定されているか、または穴部には螺子に合った螺子切りが行われていることが望ましい。
【０００８】
他の一観点によれば、発光源と、該発光源を収納する容器とを有する照明具と、前記照明具の容器に固定される上述の照明具取付け具とを有することを特徴とする照明器具が提供される。
【考案の効果】
【０００９】
一観点の照明具取付け具によれば、照明具に取り付けられる第１板状部材と、支柱の対向する突端部の間に挟持される第２板状部材及びスライド可能な第３板状部材とを有する。この照明具取付け具を用いて照明具を支柱に取り付ける場合、予め、照明具に照明具取付け具を取り付ける。その状態で、照明具取付け具の第２及び第３板状部材を支柱の対向する突端部の間に挟み込む。次いで、第２及び第３板状部材をあわせた全体の長さを突端部の間隔に合わせて調節し、第２及び第３板状部材の第１溝及び第２溝に支柱の突端部を入れる（係合させる）。その後、第２及び第３板状部材を螺子などで固定する。これによって、照明具を支柱にとりつけることができる。第2板状部材の第1穴には、螺子止めが固定されているか、または穴部には螺子に合った螺子切りが行われているので、螺子を固定する作業がより容易に行える。
【００１０】
このように、狭い空間で母屋など支柱に螺子穴を開けるなど困難な作業を行う必要がなく、従って、取り付け作業が簡単で、作業時間を短縮することができる。
【００１１】
他の一観点の照明器具によれば、上述の照明具取付け具を備えているため、母屋など取付け箇所に照明器具を取り付けるための作業が簡単で、作業時間の短縮を図ることができる。
【図面の簡単な説明】
【００１２】
【図１】図１は、従来例に係る照明器具の構成を示す斜視図である。
【図２】図２は、本考案の実施の形態に係る照明器具の構成及びＣ型鋼材からなる支柱への取り付け方法を示す斜視図である。
【図３】図３は、本考案の実施の形態に係る照明具取付け金具の構成、構成部品及び構成部品を用いて照明具取付け金具を組み立てる方法を示す斜視図（その１）である。
【図４】図４は、本考案の実施の形態に係る照明具取付け金具の構成、構成部品及び構成部品を用いて照明具取付け金具を組み立てる方法を示す斜視図（その２）である。
【図５】図５は、本考案の実施の形態に係る照明具取付け金具を取り付ける照明具の構成を示す図であり、（ａ）は側面図であり、（ｂ）は正面図である。
【考案を実施するための最良の形態】
【００１３】
以下に、本考案の実施の形態について図面を参照しながら説明する。
（照明具取付け金具の構成の説明）
図２（ｂ）は、本考案の実施の形態に係る照明具取付け金具（照明具取付け具）１５、１６を照明具１２に取り付けた状態（照明器具）を示す斜視図である。
【００１４】
図４（ｃ）は、照明具取付け金具１５の構成を示す斜視図である。
【００１５】
図３（ａ）の右図は、螺子を除く、照明具取付け金具１５の構成部品を示す斜視図である。
【００１６】
本考案では、図２（ｂ）に示すように、照明具１２の容器１２ｂの両端寄りにそれぞれ照明具取付け金具１５、１６が、照明具取付け金具固定板（照明具取付け具固定板）１３、１４を介して１つずつ取り付けられる。照明具取付け金具１５、１６は、形状及び取付け配置などが相互に左右対称（鏡対称）となっている。なお、容器１２ｂには、発光源である蛍光管１２ａが収納されている。照明具取付け金具固定板１３、１４は、図３（ａ）の左図に示すように、細長い金属製板材を中央部１３ｅが上に持ち上がるように折り曲げてなり、両端部１３ｃ、１３ｄが溶接により容器１２bに固定されている。
【００１７】
ここでは、照明具取付け金具固定板１３、１４のうち、照明具取付け金具固定板１３に取り付けられる、図４（ｃ）に示す照明具取付け金具１５の構成について説明する。
【００１８】
照明具取付け金具１５は、図３（ａ）の右図に示すように、断面がＬ字状の立体構造の上金具１５ａと、板状部材の両側部の端部１５ｋ、１５ｌが同じ方向に折り曲げられた立体構造の下金具（第３板状部材）１５ｂとを含む。
【００１９】
上金具１５ａは、照明具取付け金具固定板１３に板面同士を重ねて取り付ける平板状の第１板状部材１５ｃと、後述する下金具１５ｂを取り付ける平板状の第２板状部材１５ｄとで構成される。
【００２０】
上金具１５ａは、例えば、Ｌ字形状の金属製平板の屈曲部分を板面に対して直角に折り曲げて形成される。折り曲げられた方の長さが短い板が第２板状部材１５ｄとなり、長さが長い板が第１板状部材１５ｃとなる。或いは、平板状の金属製の第１板状部材１５ｃとそれよりも長さが短い平板状の金属製の第２板状部材１５ｄとを用意し、第２板状部材１５ｄを第１板状部材１５ｃの平面上、長手方向に沿う両側部の端部のうちの一方の端部に沿って、かつ第１板状部材１５ｃの板面に対して直立するように置き、相互接触部を溶接して形成される。
【００２１】
第１板状部材１５ｃには、長手方向の両端（以下、図面で示す通りに、上側端部、下側端部と称する。）寄りにそれぞれ螺子を通す穴１５ｅ、１５ｆが形成されている。穴１５ｅ、１５ｆは、多少、第２板状部材１５ｄが設置された側部とは反対側の側部寄りに配置される。第２板状部材１５ｄには、上側端部の中央を切り欠いて溝１５hが形成され、さらに下側端部寄りに螺子を通す穴（第１穴）１５ｇが形成されている。
【００２２】
下金具１５ｂには、下側端部の中央を切り欠いて溝１５ｊが形成され、折り曲げられた両側部の端部１５ｋ、１５ｌに挟まれて、螺子を通す上下に細長い穴（第２穴）１５ｉが形成されている。このような構成により、下金具１５ｂは、穴１５ｉに螺子を挿入した状態で上下に動かすことができるようになっている。
【００２３】
上金具１５ａの第２板状部材１５ｄ及び下金具１５ｂが、図２（ｂ）に示す支柱（取り付け箇所）１１の挟持部１１ａ、１１ｂに対する被挟持部を構成する。
【００２４】
なお、穴１３ａ、１３ｂ及び穴（第１穴）１５ｇは、予め螺子止めが固定されているか、あるいは穴部には螺子に合ったねじ切りが行われていることが、作業性の点で望ましい。
【００２５】
（照明具取付け金具の組み立て方法）
次に、上記構成部品から図４（ｃ）の照明具取付け金具１５を組み立てる方法について図３及び図４を参照しながら説明する。
【００２６】
図３（ａ）の右図に示すように、上金具１５ａ、下金具１５ｂ及び後述する螺子を準備する。また、図３（ａ）の左図に示すように、照明具取付け金具１５を取り付ける照明具取付け金具固定板１３も準備する。照明具取付け金具固定板１３は既に照明具１２に溶接により固定されている。
【００２７】
次いで、図３（ｂ）に示すように、照明具取付け金具固定板１３の板材１３ｅの外面と上金具１５ａの第１板状部材１５ｃの外面とを対向させて、穴１３ａと１５ｅ、１３ｂと１５ｆを合わせて重ね、螺子（ボルト）１７ａと１７ｂを、それぞれ穴１３ａ及び１５ｅと１３ｂ及び１５ｆに通し、その後、螺子止め（ナット）１８ａ、１８ｂで締めて固定する（図４（ａ））。なお、図３（ｂ）及び図４（ａ）では、照明具１２の容器１２ｂは、簡略化のため省略している。以下同じ。
【００２８】
次に、図４（ｂ）に示すように、下金具１５ｂを、その内側の平面が上金具１５ａの第２板状部材１５ｄの外側の平面に重なり、かつ折り曲げられた両側部の端部１５ｋ、１５ｌが照明具取付け金具固定板１３の板厚部分と上金具１５ａ全体とを挟むように、第２板状部材１５ｄの外側に配置する。
【００２９】
そして、図４（ｃ）に示すように、重なった各板１５ｂ及び１５ｄの穴１５ｉ及び１５ｇに螺子１７ｅを挿入し、螺子止め１８ｅで締める。
【００３０】
このようにして、照明具取付け金具１５の組み立てが完成する。
【００３１】
なお、図２に示すように、照明具１２に取り付けられた照明具取付け金具１５を支柱１１に取り付け、固定する際には、照明具取付け金具１５の螺子止め１８ｅをきつく締める前に、照明具取付け金具１５の被挟持部１５ｂ、１５ｄを支柱１１の突端部（挟持部）１１ａ、１１ｂの間に置き、それらの突端部１１ａ、１１ｂがそれぞれ被挟持部１５ｂ及び１５ｄの溝（第１溝）１５ｊ及び溝（第２溝）１５ｈに入る（係合する）ように、上金具１５ａの第２板状部材１５ｄの板面に沿って下金具１５ｂをスライドさせて被挟持部１５ｂ、１５ｄの上下長さを調節する。最後に、螺子止め１８ｅをきつく締めて、照明具取付け金具１５を支柱１１に固定する。
【００３２】
以上のように、本発明の実施形態の照明具取付け金具１５によれば、照明器具を支柱１１に取り付ける前に、予め照明具１２に照明具取付け金具１５を取り付け、その状態で、照明具取付け金具１５の被挟持部１５ｂ、１５ｄを支柱１１の突端部（挟持部）１１ａ、１１ｂの間に置き、照明具取付け金具１５の被挟持部１５ｂ、１５ｄの上下長さを支柱１１の突端部１１ａ、１１ｂの間隔に合わせて調節し、被挟持部１５ｂ、１５ｄを螺子１７ｅなどで固定するだけで、照明具１２を支柱１１に取り付けることができる。
【００３３】
このように、狭い空間で母屋など支柱１１に螺子穴を開けるなど困難な作業を行う必要がなく、従って、取り付け作業が簡単で、作業時間を短縮することができる。
【００３４】
（照明器具の構成の説明）
図２（ｂ）は、本考案の実施形態に係る照明器具の構成を示す斜視図である。
【００３５】
照明器具は、図２（ｂ）に示すように、照明具１２と、照明具１２の両端寄りに取り付けられた照明具取付け金具固定板１３、１４と、照明具取付け金具固定板１３、１４に取り付けられた照明具取付け金具１５、１６とを有する。
【００３６】
なお、図２では、照明具１２の内部は簡略化して描かれており、より詳細な構成は次項で説明する。
【００３７】
また、照明具取付け金具固定板１３及び照明具取付け金具１５は、上述したので以下では説明を省略する。照明具取付け金具固定板１４については、第１板状部材の２つの穴（照明具取付け金具固定板１３の穴１３ａ、１３ｂに相当）が照明具取付け金具固定板１３の穴１３ａ、１３ｂと左右対称となっている点以外、照明具取付け金具固定板１３と同じ構成を有している。また、照明具取付け金具１６については、上金具が照明具取付け金具１５の上金具１５ａとは左右対称となっている点、照明具取付け金具固定板１４への上金具及び下金具の取り付け状態も照明具取付け金具１５の場合と比べて左右対称となっている点で異なるが、その他の構成は照明具取付け金具１５と同じである。
【００３８】
なお、図２中、符号１７ｃ、１７ｄは、照明具取付け金具固定板１４に照明具取付け金具１６を取り付けるときに用いられる、上述の螺子１７ａ、１７ｂに対応する螺子を示し、１８ｃ、１８ｄは、螺子１７ｃ、１７ｄに用いる、上述の螺子止め１８ａ、１８ｂに対応する螺子止めを示す。
【００３９】
（照明具の構成の説明）
図５（ａ）、（ｂ）は、上記照明具１２のより詳細な構成を示す図である。図５（ａ）は側面図であり、図５（ｂ）は正面図である。
【００４０】
照明具１２は、蛍光管（発光源）１２ａと、蛍光管１２ａを挟み込み、電源コード１２ｃが安定器２０を介して接続され、蛍光管１２ａを電源に接続するソケット１２ｄと、蛍光管１２ａ、安定器２０及びソケット１２ｄを収納する容器１２ｂとを有する。容器１２ｂは箱型を有し、一面が蛍光管１２ａから発する光を外部に放射する窓部となっている。窓部には、蛍光管１２ａの保護のため、開閉可能な透明な蓋１２ｆが設けられている。また、容器１２ｂ内部には、蛍光管１２ａから発する光を窓部の方に反射させる反射板１２ｅを備えている。
【００４１】
（照明具への照明具取付け金具の取り付け方法の説明）
照明具への照明具取付け金具の取り付け方法については、上述の（照明具取付け金具の組み立て方法）の項で照明具取付け金具の組み立て方法と併せて説明した。
【００４２】
なお、上述した例では照明具取付け金具固定板１３、１４を介して照明具１２に照明具取付け金具１５、１６を取り付けているが、照明具１２に直に照明具取付け金具１５、１６を取り付けてもよい。
【００４３】
（照明器具の取り付け箇所への照明器具の取り付け方法の説明）
次に、図２（ａ）乃至図２（ｂ）、及び図４（ｃ）を参照しながら、照明器具の取り付け箇所である支柱１１への照明器具の取り付け方法について説明する。支柱１１として、サイクルハウスの母屋に使用されたＣ型鋼材を用いる。Ｃ型鋼材１１の対向する突端部１１ａ、１１ｂが挟持部となる。
【００４４】
まず、図４（ｃ）に示すように、照明具取付け金具１５を照明具１２に取り付ける。このとき、被挟持部１５ｂ、１５ｄを固定する螺子止め１８ｅを螺子１７ｅに対して緩く締めて、上金具１５ａの第２板状部材１５ｄの板面に沿って下金具１５ｂがスライドして被挟持部１５ｂ、１５ｄの上下長さが自在に調節できるようにしておく。照明具取付け金具１６も同様にする。
【００４５】
次いで、照明具取付け金具１５の被挟持部１５ｂ、１５ｄを、Ｃ型鋼材１１の対向する突端部（挟持部）１１ａ、１１ｂの間に置き、それらの突端部が被挟持部１５ｂ、１５ｄの各溝１５ｇ、１５ｉに入る（係合する）ように、被挟持部１５ｂ、１５ｄの上下長さを調節する。照明具取付け金具１６も同様にする。
【００４６】
最後に、螺子止め１８ｅをきつく締めて、照明具取付け金具１５をＣ型鋼材１１に固定する。照明具取付け金具１６も同様にする。
【００４７】
以上にように、本発明の実施形態の照明器具によれば、上述の照明具取付け金具１５、１６を備えているため、母屋など支柱１１に照明器具を取り付けるための作業が簡単で、作業時間の短縮を図ることができる。
【００４８】
以上、実施の形態によりこの考案を詳細に説明したが、この考案の範囲は上記実施の形態に具体的に示した例に限られるものではなく、この考案の要旨を逸脱しない範囲の上記実施の形態の変更はこの考案の範囲に含まれる。
【００４９】
例えば、本考案では、支柱（照明器具の取り付け箇所）１１として、サイクルハウスの母屋に使用されたＣ型鋼材を用いているが、これに限られない。挟持部を有する部材又は箇所であれば、台所、ショーケース、ダイニング、風呂場など家屋内の部材又は箇所でもよいし、また、屋外に設置された部材や、屋外の該当箇所でもよい。
【００５０】
また、照明具取付け具固定板１３、１４、及び照明具取付け具１５、１６の材料として、金属製材料を用いているが、プラスチックなど金属以外の材料を用いてもよい。
【００５１】
また、照明具として蛍光管を含むものを用いているが、蛍光管の代わりに発光ダイオードを含むものを用いてもよい。
【符号の説明】
【００５２】
１１  Ｃ型鋼材（支柱）
１１ａ、１１ｂ  突端部（挟持部）
１２  照明具
１２ａ  蛍光管（発光源）
１２ｂ  容器
１２ｃ  電源コード
１３、１４  照明具取付け金具固定板（照明具取付け具固定板）
１３ａ、１３ｂ、１５ｅ、１５ｆ  穴
１３ｃ、１３ｄ  照明具取付け金具固定板の両端部
１３ｅ  照明具取付け金具固定板の中央部
１５、１６  照明具取付け金具（照明具取付け具）
１５ａ  上金具
１５ｂ  下金具（第３板状部材；被挟持部）
１５ｃ  第１板状部材
１５ｄ  第２板状部材（被挟持部）
１５ｇ  穴（第１穴）
１５ｈ  第１溝
１５ｉ  穴（第２穴）
１５ｊ  第２溝
１５ｋ、１５ｌ  下金具の両側部の端部
１７ａ〜１７ｅ  螺子
１８ａ〜１８ｅ  螺子止め
２０  安定器
【図１】
0003156816.tif 000003
【図２】
0003156816.tif 000004
【図３】
0003156816.tif 000005
【図４】
0003156816.tif 000006
【図５】
0003156816.tif 000007